(57)【要約】【課題】  近年、特に、オゾンホールの拡大による紫外線の増加が白内障、皮膚ガンなど人体に危害を与える問題が生じてきている。この紫外線から皮膚を保護するために、顔面や首への対策については、もっぱらクリームや化粧品に頼っている。これは皮膚への負担だけでなく経済的負担も大きい。【解決手段】  １枚の紫外線遮蔽布帛を耳殻手前から眼下を含める顔面と首を覆う。取り付け方法は上両端に収縮性のひもを耳に掛けるかあるいは布帛両端内側を切開し、該切開部を耳殻に引っ掛け、下両端に首の後ろで結ぶことの出来るひもを取り付ける。これにより、紫外線だけでなく道路などからの熱射によるほてりも保護できる。しかも、通気性のよいムレのない布を使用することで誰にでも手軽で快適に着用できる。【選択図】    図３
0003108929.tif 000002
【実用新案登録請求の範囲】
【請求項１】
耳殻手前、眼下を含める顔面と首部を覆い、上両端には耳にかける伸縮性のひもが、下両端には首の後ろで結ぶことのできるひもが取り付けてある紫外遮蔽拡大マスク。
【請求項２】
鼻、口に接する部分の通気量が２００ｃｃ／秒以上である請求項１記載の拡大マスク
【考案の詳細な説明】
【考案の簡単な説明】
【技術分野】
【０００１】  本考案は、顔面、首に対する太陽からの紫外線を防ぎ、紫外線の原因によるシミ、皺などの肌の劣化を防止する紫外線遮蔽マスクであり、マスク着用による息苦しさ、ムレのない着用快適性にすぐれた拡大マスクに関するものである。
【背景技術】
【０００２】  オゾンホールの拡大に伴い、地上に到達する紫外線が増加し、白内障、皮膚ガンの増加など知られている。即ち、太陽光線に長時間肌をさらすと皮膚に紅班（サンバーン）を生じ、ひどい場合は火傷と同様の水脹れが生ずる。また皮膚は黒化してしまう。皮膚の老化が進み、シミやソバカスが誘発されることがわかっている。特に、紫外線に長年さらされることで、顔面側部や手の甲などにシミが多数沈着したり、皺が刻まれるなどの皮膚の劣化が加齢とともに増加している。【０００３】  紫外線から皮膚を守るために、屋外では日傘や帽子で日除けをつくるだけでなく、紫外線遮蔽効果のある化粧品を顔や首筋、腕などにつけることが行われている。既に紫外線遮蔽効果をうたった衣類、手袋、腕カバー、パラソルなどはすでに使用されている。その一方、顔面や首筋に対する紫外線の防護はもっぱら紫外線遮蔽機能を有するクリーム、化粧品などが使用されているが、毎日の皮膚への負担、経済的負担は大きい。【０００４】  従来のマスクは、特開２００３−１９２１９号公報で開示されるように、空気中の有害物質の微粒子を効率よく捕集する機能が示されているが、紫外線遮蔽を狙っているものではない。また該衛生マスクは、鼻及び口周辺を覆う覆い布で構成されているが、口両端から耳殻に至るまでの部分はひもであり、顔面側部４や首５の部分を覆うものではなく、これらの部分は紫外線に暴露されている。
【考案が解決しようとする課題】
【０００５】  本考案は、顔面、首に対する太陽からの紫外線を防ぎ、息苦しさ、ムレのない着用快適性にすぐれた紫外線遮蔽拡大マスクに関するものである。
【考案の実施と効果】
【０００６】  以下、本考案の実施例を図面に基づいて説明するが、本考案はこれによって限定されるものではない。
【０００７】  本考案で使用する布帛１は、紫外線遮蔽機能を有する布帛であり、紫外線反射剤や紫外線吸収剤を含有する繊維から構成された布帛であり、また、紫外線反射剤や紫外線吸収物質を布帛に付着させることにより得られる。かかる紫外線反射物質としては、例えば、酸化チタン、酸化亜鉛、酸化マグネシウム、タルク、カオリン、炭酸カルシウム、炭酸ナトリウムやセラミック粉末などが例示できる。前記微粒子を繊維製造時に樹脂と混合し、紡糸することによって繊維内部に含有させたり、バインダー樹脂を介して、生地表面に分散付着させることも可能である。バインダー樹脂としては、アクリル系樹脂、ポリウレタン、シリコーン、ゴム、でんぷんなどが挙げられる。
【０００８】  紫外線吸収物質としては、ベンゾトリアゾールなどのベンゾトリアゾール系紫外線吸収剤、ジメトキシベンゾフェノンなどのベンゾフェノン系紫外線吸収剤、ウロカニン酸やウロカニン酸エチルなどのイミダゾール系紫外線吸収剤、シアノアクリレート系紫外線吸収剤などが例示できる。これらの紫外線吸収剤は、溶媒に溶かし、布帛をこれに浸漬、付着させてもよい。また、これらの紫外線吸収剤をラジカル重合性単量体に所定量加えて、乳化重合することによってポリマー微粒子に含有させ、これを布帛に付着させてもよい。
【０００９】  本考案で使用する布帛構成繊維としては、木綿などの植物系繊維、シルク、ウールなどの動物系繊維、レーヨン、アセテート、キュプラなどの再生繊維、ポリエステル、ナイロン、アクリル、ポリプロピレンなどの合成繊維や、これらの繊維の交編織物、混紡物など、いずれであっても構わない。マスクの着用快適性のため、布帛の通気量は２００ｃｃ／秒以上であることが好ましい。
【００１０】  布帛の通気量は、直径３センチメートル、長さ３０センチメートルの透明樹脂パイプの上端に布帛を貼り付け、もう一方を下にして水中に垂直に沈め、水の上昇速度を測定し、布帛の通気速度を軽量し求めた。
【００１１】  本考案の拡大マスクは、前記の紫外線遮蔽布帛を用いて顔面、首を覆う布帛とする。該布帛は図１に示すように、布帛が耳殻までの顔面両サイド４、首５を覆う。また、下両端はひも６が取り付けてあり、図３に示すように首の後ろに回し、首の後ろもしくは側面で結び首に固定する。結び目以外の固定手段は、これに限定するものではなく、例えばフックなどを使用しても全く構わない。
【００１２】  本考案の拡大マスク図１の耳殻への取り付けは布帛の両端に伸縮性のひも２を取り付けてもよいし、図２のように布帛両端内側を経て、耳殻を経て幅分だけ切開３し、該切開部を耳殻に引っ掛けるようにしてもよい。
【００１３】  拡大マスクは様々な色に染色してもよく、絵柄を付与しても全く構わない。また、紫外線防除作用と通気量を妨げなければ、その他の機能、例えば、芳香物質、殺菌剤、抗菌剤、吸放湿剤、消臭剤、赤外線吸収剤、赤外線反射剤、磁気物質、電気石など付着させても全く構わない。
【実用例１、比較例１】
【００１４】  紫外線遮蔽ポリエステル繊維（クラレ株式会社製登録商標「エスモ」）７５ｄ／３６ｆのポリエステル加工糸と綿番手６０番の紡績糸を用い、織り密度５０本／インチの平織物と綿番手６０番の紡績糸を用い、綿１００％の平織物を試作した。両布帛で本考案の拡大マスクを試作し、夏期晴天時に２名に着用させ、顔面を太陽に向け４時間日光浴を行った。綿１００％の拡大マスクでは皮膚のほてりを感じたが、エスモ使用の拡大マスクでは使用前後での皮膚の変化はなかった。
【実用例２、比較例２】
【００１５】  実施例１で試作した綿１００％の拡大マスクに、アクリルエマルション（株式会社日本触媒製アクリルセットＲ  ＥＳ−２８Ｅ、固形分５０重量％）２０重量％と、二酸化チタンを１０重量％で微分散した水分散体との混合液に浸漬し、絞った後に乾燥した。実施例１を同様に無処理の綿１００％拡大マスクを２名に着用させ、顔面を太陽に向け４時間日光浴を行った。綿１００％の拡大マスクでは皮膚のほてりを感じたが、二酸化チタンを付着した拡大マスクでは、使用前後での皮膚の変化はなかった。
【実用例３】
【００１６】  綿密度を１００本／インチとした以外は、実施例１と同様の操作を行い、拡大マスクを試作した。この通気量は１００ｃｃ／秒であり、着用すると息苦しかった。
【図１】
0003108929.tif 000003
【図２】
0003108929.tif 000004
【図３】
0003108929.tif 000005
【手続補正書】
【提出日】平成16年12月2日(2004.12.2)
【手続補正２】
【補正対象書類名】明細書
【補正対象項目名】全文
【補正方法】変更
【補正の内容】
【考案の詳細な説明】
【技術分野】
【０００１】
【技術分野】  本考案は、顔面、首に対する太陽からの紫外線を防ぎ、紫外線の原因によるシミ、皺などの肌の劣化を防止する紫外線遮蔽マスクであり、マスク着用による息苦しさ、ムレのない着用快適性にすぐれた拡大マスクに関するものである。【０００２】
【背景技術】  オゾンホールの拡大に伴い、地上に到達する紫外線が増加し、白内障、皮膚ガンの増加など知られている。即ち、太陽光線に長時間肌をさらすと皮膚に紅班（サンバーン）を生じ、ひどい場合は火傷と同様の水脹れが生ずる。また皮膚は黒化してしまう。皮膚の老化が進み、シミやソバカスが誘発されることがわかっている。特に、紫外線に長年さらされることで、顔面側部や手の甲などにシミが多数沈着したり、皺が刻まれるなどの皮膚の劣化が加齢とともに増加している。【０００３】  紫外線から皮膚を守るために、屋外では日傘や帽子で日除けをつくるだけでなく、紫外線遮蔽効果のある化粧品を顔や首筋、腕などにつけることが行われている。既に紫外線遮蔽効果をうたった衣類、手袋、腕カバー、パラソルなどはすでに使用されている。その一方、顔面や首筋に対する紫外線の防護はもっぱら紫外線遮蔽機能を有するクリーム、化粧品などが使用されているが、毎日の皮膚への負担、経済的負担は大きい。【０００４】  従来のマスクは、特開２００３−１９２１９号公報で開示されるように、空気中の有害物質の微粒子を効率よく捕集する機能が示されているが、紫外線遮蔽を狙っているものではない。また該衛生マスクは、鼻及び口周辺を覆う覆い布で構成されているが、口両端から耳殻に至るまでの部分はひもであり、顔面側部４や首５の部分を覆うものではなく、これらの部分は紫外線に暴露されている。【０００５】
【考案が解決しようとする課題】
本考案は、顔面、首に対する太陽からの紫外線を防ぎ、息苦しさ、ムレのない着用快適性にすぐれた紫外線遮蔽拡大マスクに関するものである。
【０００６】
【考案の実施と効果】
以下、本考案の実施例を図面に基づいて説明するが、本考案はこれによって限定されるものではない。
【０００７】  本考案で使用する布帛１は、紫外線遮蔽機能を有する布帛であり、紫外線反射剤や紫外線吸収剤を含有する繊維から構成された布帛であり、また、紫外線反射剤や紫外線吸収物質を布帛に付着させることにより得られる。かかる紫外線反射物質としては、例えば、酸化チタン、酸化亜鉛、酸化マグネシウム、タルク、カオリン、炭酸カルシウム、炭酸ナトリウムやセラミック粉末などが例示できる。前記微粒子を繊維製造時に樹脂と混合し、紡糸することによって繊維内部に含有させたり、バインダー樹脂を介して、生地表面に分散付着させることも可能である。バインダー樹脂としては、アクリル系樹脂、ポリウレタン、シリコーン、ゴム、でんぷんなどが挙げられる。
【０００８】  紫外線吸収物質としては、ベンゾトリアゾールなどのベンゾトリアゾール系紫外線吸収剤、ジメトキシベンゾフェノンなどのベンゾフェノン系紫外線吸収剤、ウロカニン酸やウロカニン酸エチルなどのイミダゾール系紫外線吸収剤、シアノアクリレート系紫外線吸収剤などが例示できる。これらの紫外線吸収剤は、溶媒に溶かし、布帛をこれに浸漬、付着させてもよい。また、これらの紫外線吸収剤をラジカル重合性単量体に所定量加えて、乳化重合することによってポリマー微粒子に含有させ、これを布帛に付着させてもよい。
【０００９】  本考案で使用する布帛構成繊維としては、木綿などの植物系繊維、シルク、ウールなどの動物系繊維、レーヨン、アセテート、キュプラなどの再生繊維、ポリエステル、ナイロン、アクリル、ポリプロピレンなどの合成繊維や、これらの繊維の交編織物、混紡物など、いずれであっても構わない。マスクの着用快適性のため、布帛の通気量は２００ｃｃ／秒以上であることが好ましい。
【００１０】  布帛の通気量は、直径３センチメートル、長さ３０センチメートルの透明樹脂パイプの上端に布帛を貼り付け、もう一方を下にして水中に垂直に沈め、水の上昇速度を測定し、布帛の通気速度を軽量し求めた。
【００１１】  本考案の拡大マスクは、前記の紫外線遮蔽布帛を用いて顔面、首を覆う布帛とする。該布帛は図１に示すように、布帛が耳殻までの顔面両サイド４、首５を覆う。また、下両端はひも６が取り付けてあり、図３に示すように首の後ろに回し、首の後ろもしくは側面で結び首に固定する。結び目以外の固定手段は、これに限定するものではなく、例えばフックなどを使用しても全く構わない。
【００１２】  本考案の拡大マスク図１の耳殻への取り付けは布帛の両端に伸縮性のひも２を取り付けてもよいし、図２のように布帛両端内側を経て、耳殻を経て幅分だけ切開３し、該切開部を耳殻に引っ掛けるようにしてもよい。
【００１３】  拡大マスクは様々な色に染色してもよく、絵柄を付与しても全く構わない。また、紫外線防除作用と通気量を妨げなければ、その他の機能、例えば、芳香物質、殺菌剤、抗菌剤、吸放湿剤、消臭剤、赤外線吸収剤、赤外線反射剤、磁気物質、電気石など付着させても全く構わない。
【００１４】
【実用例１、比較例１】
紫外線遮蔽ポリエステル繊維（クラレ株式会社製登録商標「エスモ」）７５ｄ／３６ｆのポリエステル加工糸と綿番手６０番の紡績糸を用い、織り密度５０本／インチの平織物と綿番手６０番の紡績糸を用い、綿１００％の平織物を試作した。両布帛で本考案の拡大マスクを試作し、夏期晴天時に２名に着用させ、顔面を太陽に向け４時間日光浴を行った。綿１００％の拡大マスクでは皮膚のほてりを感じたが、エスモ使用の拡大マスクでは使用前後での皮膚の変化はなかった。
【００１５】
【実用例２、比較例２】
実施例１で試作した綿１００％の拡大マスクに、アクリルエマルション（株式会社日本触媒製アクリルセットＲ  ＥＳ−２８Ｅ、固形分５０重量％）２０重量％と、二酸化チタンを１０重量％で微分散した水分散体との混合液に浸漬し、絞った後に乾燥した。実施例１を同様に無処理の綿１００％拡大マスクを２名に着用させ、顔面を太陽に向け４時間日光浴を行った。綿１００％の拡大マスクでは皮膚のほてりを感じたが、二酸化チタンを付着した拡大マスクでは、使用前後での皮膚の変化はなかった。
【００１６】
【実用例３】
綿密度を１００本／インチとした以外は、実施例１と同様の操作を行い、拡大マスクを試作した。この通気量は１００ｃｃ／秒であり、着用すると息苦しかった。
【図面の簡単な説明】
【００１７】
【図１】耳殻への取り付けに収縮性のひもと首に固定するためのひもをつけた本考案の紫外線遮蔽布帛の平面図である。
【図２】図１の耳殻の部分を収縮性のひもの代わりに、耳幅のみ切開し、耳殻に引っ掛けるようにした紫外線遮蔽布帛の平面図である。
【図３】本考案の紫外線遮蔽布帛を着けた時の立体図である。首部に固定するためのひもは首の後ろでも前で結んでもどちらでも良い。また、耳殻に引っ掛けている収縮性のひもをそのままはずせば、スカーフとして、首部を紫外線から防ぐこともできる。
【符号の説明】
【００１８】１    紫外線遮蔽布帛
２    耳殻に掛ける収縮性のひも
３    耳殻に掛けるための耳幅の切開部分
４    顔面側部
５    首部
６    首部に固定させるためのひも